(57)【要約】【課題】  画素加算したデータをＣＣＤ型固体撮像素子から高速に読み出す。【解決手段】  第１受光部列の中の周期的位置にある複数の受光部から読み出された信号電荷の第１垂直電荷転送路上における配列を信号電荷が存在する電荷パケットと空信号パケットとの交互配列にすると共に、第２受光部列の中の周期的位置にある複数の受光部から読み出された信号電荷の第２垂直電荷転送路上における配列を前記交互配列とは逆に信号電荷が存在しない空信号パケットと信号電荷が存在する電荷パケットとの交互配列にする。これにより、第１垂直電荷転送路によって転送されラインメモリに一時蓄積された信号電荷を水平電荷転送路に転送するとき同時に第２垂直電荷転送路の垂直転送を行うことができる。【選択図】  図２
2009177401.tif 000002
【特許請求の範囲】
【請求項１】
二次元アレイ状に配列形成され各々が入射光量に応じた信号電荷を蓄積する複数の受光部と、該受光部で構成される受光部列の各々に沿って形成され前記受光部から読み出された前記信号電荷を列方向に転送する複数の垂直電荷転送路と、複数の垂直電荷転送路の転送方向端部に沿って形成される水平電荷転送路と、該水平電荷転送路と前記垂直電荷転送路の転送方向端部との間に設けられ前記垂直電荷転送路の各々から受け取った前記信号電荷を一時蓄積して前記水平電荷転送路に転送するラインメモリとを備えるＣＣＤ型固体撮像素子の駆動方法において、
第１の前記受光部列の中の周期的位置にある複数の前記受光部から読み出された前記信号電荷の該受光部列に沿う第１の前記垂直電荷転送路上における配列を、前記信号電荷が存在する電荷パケットを該信号電荷が存在しない空信号パケットで挟む配列にすると共に、第２の前記受光部列の中の周期的位置にある複数の前記受光部から読み出された前記信号電荷の該受光部列に沿う第２の前記垂直電荷転送路上における配列を、前記信号電荷が存在する電荷パケットを該信号電荷が存在しない空信号パケットで挟む配列にし且つ該電荷パケットが前記第１の前記垂直電荷転送路上の前記電荷パケットとずれた位置とすることを特徴とするＣＣＤ型固体撮像素子の駆動方法。
【請求項２】
前記垂直電荷転送路に前記信号電荷を読み出した状態で前記配列が実現する前記受光部を選択し該受光部に読出パルスを印加することを特徴とする請求項１に記載のＣＣＤ型固体撮像素子の駆動方法。
【請求項３】
前記第１の受光部列から信号電荷を読み出し転送した後に前記第２の受光部列から信号電荷を読み出すことで前記配列を実現することを特徴とする請求項１に記載のＣＣＤ型固体撮像素子の駆動方法。
【請求項４】
前記第１の受光部列が奇数列の受光部列であり、前記第２の受光部列が偶数列の受光部列であることを特徴とする請求項１乃至請求項３のいずれかに記載のＣＣＤ型固体撮像素子の駆動方法。
【請求項５】
前記第１の前記垂直電荷転送路によって転送され前記ラインメモリに一時蓄積された前記信号電荷を前記水平電荷転送路に転送するとき同時に前記第２の前記垂直電荷転送路による前記信号電荷の前記ラインメモリへの垂直転送を行うことを特徴とする請求項１乃至請求項４のいずれかに記載のＣＣＤ型固体撮像素子の駆動方法。
【請求項６】
二次元アレイ状に配列形成され各々が入射光量に応じた信号電荷を蓄積する複数の受光部と、該受光部で構成される受光部列の各々に沿って形成され前記受光部から読み出された前記信号電荷を列方向に転送する複数の垂直電荷転送路と、複数の垂直電荷転送路の転送方向端部に沿って形成される水平電荷転送路と、該水平電荷転送路と前記垂直電荷転送路の転送方向端部との間に設けられ前記垂直電荷転送路の各々から受け取った前記信号電荷を一時蓄積して前記水平電荷転送路に転送するラインメモリとを備えるＣＣＤ型固体撮像素子と、請求項１乃至請求項５のいずれかに記載の駆動方法を実行する撮像素子駆動部とを備えることを特徴とする撮像装置。
【発明の詳細な説明】
【技術分野】
【０００１】
本発明はＣＣＤ型固体撮像素子の駆動方法および撮像装置に係り、特に、信号電荷をＣＣＤ型固体撮像素子から画素加算して読み出すときの高速化を図るのに好適な駆動方法及び撮像装置に関する。
【背景技術】
【０００２】
ＣＣＤ型固体撮像素子では、各画素（フォトダイオード：受光部）が夫々入射光量に応じて検出した信号電荷を電荷転送路に読み出し転送し出力することで、被写体の撮像信号を出力する。この信号電荷の転送時に、複数画素の信号電荷を加算することで、高感度化を図ることができる。
【０００３】
この画素加算を容易に行える構造を備えたＣＣＤ型固体撮像素子として、例えば下記の特許文献１，２に記載のものがある。これを図１０で説明する。図１０に示すＣＣＤ型固体撮像素子は、半導体基板の表面部に二次元アレイ状に配列形成された複数のフォトダイオード１と、各フォトダイオード列に沿って形成された垂直電荷転送路（ＶＣＣＤ）２と、各垂直電荷転送路２の転送方向端部に沿って形成された水平電荷転送路（ＨＣＣＤ）３と、水平電荷転送路３の転送方向端部に設けられた出力アンプ４と、各垂直電荷転送路２の転送方向端部と水平電荷転送路３との間に設けられたラインメモリ５とを備える。
【０００４】
ラインメモリ５は各垂直電荷転送路２毎にバッファ領域を備え、各バッファ領域は対応する垂直電荷転送路２によって転送されてきた信号電荷を一次蓄積し、バッファ領域から水平電荷転送路３に信号電荷を転送するタイミングを制御することで、水平電荷転送路上で画素加算を行う様になっている。
【０００５】
図１０に示す例では、奇数行の画素１が偶数行の画素１に対して１／２ピッチずつずらして配列された所謂ハニカム画素配列になっており、各画素１上にカラーフィルタ（Ｒ＝赤，Ｇ＝緑，Ｂ＝青）が積層されている。画素加算は、同色の信号電荷間で行われる。
【０００６】
図１１は、図１０に示すＣＣＤ型固体撮像素子における信号電荷の読み出し及び転送の様子を４列分だけ示す図であり、図１２は垂直転送電極Ｖ１〜Ｖ１６に印加する転送パルスのタイミングチャートである。このＣＣＤ型固体撮像素子では、信号電荷の読み出しはマルチフィールドで行われ、図示するフィールドにおける読み出し前には、図１１（ａ）に示す様に、垂直転送電極Ｖ１，Ｖ８，Ｖ９，Ｖ１６をバリア電極とし、転送電極兼用の読出電極Ｖ３，Ｖ５に読み出しパルスＴ（図１２）を印加する。
【０００７】
これにより、図１１（ｂ）に示す様に、読出対象画素から各信号電荷が、連続する６枚の転送電極下に形成された電位パケット内に読み出される。各色に対応する信号電荷は、複数電極下に分けられる場合には小文字のｒ，ｇ，ｂで示し、１つの画素が検出した信号電荷全体の場合には大文字のＲ，Ｇ，Ｂで示す。
【０００８】
垂直方向への電荷転送を行う場合、６電極分の電位パケットは、垂直方向の長さを１電極分だけ水平電荷転送路の方向に伸ばし（バリア電極を蓄積電極にすることで行う。）、次に水平電荷転送路と反対側の１電極分だけ縮める（蓄積電極をバリア電極にすることで行う。）という転送方法を繰り返す。
【０００９】
図１３，図１４，図１５，は、図１１（ｃ）に示す転送を行いながら、図１に示すラインメモリ５を用いて水平電荷転送路３上で同色の信号電荷を加算する駆動方法を示す状態遷移図である。図１３，図１４，図１５では、図１１に示す各画素１は図示を省略しており、また、転送電極数もその枚数を減らして図示している。斜線を施した転送電極はバリア電極である。
【００１０】
図１３に示す転送状態Ａ１では、ラインメモリ５にはまだ信号電荷は転送されていない。状態Ａ１から垂直方向への転送を繰り返すことで、状態Ａ２となる。この状態Ａ２では、ラインメモリ５の各バッファ内に、読出対象画素の信号電荷Ｒ，Ｇ，Ｂが転送される。
【００１１】
垂直方向の信号電荷ｒ，ｇ，ｂの転送を繰り返し、転送状態Ａ３になったとき、状態Ａ３内に矢印で示す様に、ラインメモリ５の図１３に示すバッファ内の右側の信号電荷Ｒと信号電荷Ｂを水平電荷転送路３上に転送し、転送状態Ａ４に遷移する。
【００１２】
転送状態Ａ４に示す状態で、水平電荷転送路３を水平電極の４電極分だけ転送すると、ラインメモリ５のＲ信号電荷，Ｂ信号電荷のバッファ位置と、水平電荷転送路３上のＲ信号電荷とＢ信号電荷とが夫々整列する位置になる。このとき、図１４の転送状態Ａ５に示す様に、ラインメモリ５のＲ信号電荷，Ｂ信号電荷を水平電荷転送路３に転送すると、転送状態Ａ６に示す様に、水平電荷転送路３上の信号電荷は画素加算されて２Ｒ，２Ｂとなる。
【００１３】
そして、図示する例で、ラインメモリ５上の一番右側のＧ信号電荷を水平電荷転送路３に転送すると転送状態Ａ７となり、次に水平電荷転送路３を１水平電極分だけ転送し（転送状態Ａ８）、この状態で、水平電荷転送路３上のＧ信号電荷だけを１水平電極分だけ転送する（図１５の状態Ａ９）。
【００１４】
次に、図１５の状態Ａ９に示す様に所要位置のＧ信号電荷をラインメモリ５から水平電荷転送路３に転送し、水平電荷転送路３全体を２電極分だけ転送駆動する（図１５の状態Ａ１０）と、水平電荷転送路３上の１個分のＧ信号電荷の位置がラインメモリ５上に残っているＧ信号電荷のバッファ位置に整列する。このとき、ラインメモリ５上のＧ信号電荷を水平電荷転送路３上に転送する（状態Ａ１１）と、図１５の状態Ａ１２に示す様に、全ての色の画素加算が水平電荷転送路３上で完了する。
【００１５】
以後、水平電荷転送路３の全体を転送駆動し、画素加算された２Ｒ，２Ｇ，２Ｂの信号電荷の全てを図１０のアンプ位置まで転送し、アンプ４が信号電荷量に応じた電圧値信号を撮像画像信号として出力した後、再び図１３の転送状態Ａ１に入り、以上の動作を繰り返す。
【００１６】
上述した従来のＣＣＤ型固体撮像素子の駆動方法は、高速駆動ができず、固体撮像素子に搭載する画素数が増えるほど、撮像信号の高速読出に問題が生じてしまう。このため、図１３，図１４，図１５に示す転送状態Ａｉのうち時間のかかる転送状態Ａ１，Ａ２，Ａ３，Ａ５，Ａ６，Ａ９，Ａ１１，Ａ１２を減らす必要がある。
【００１７】
【特許文献１】特開２００２-１１２１２２号公報
【特許文献２】特開２００６-２５４３７７号公報
【発明の開示】
【発明が解決しようとする課題】
【００１８】
図１３，図１４，図１５に示す転送駆動方法は、高速駆動に不向きである。しかし、図１６，図１７，図１８に示す様に工夫することで、高速駆動が可能になる。この工夫した転送駆動方法では、図１６に示す転送Ｂ１は図１３の転送Ａ１と同じであるが、次の転送Ｂ２では、図１３の転送Ａ２と転送Ａ３を同時並行的に行っており、以下、転送Ｂ３〜Ｂ１１は、転送Ａ４〜Ａ１２と同じである。最後の転送Ｂ１２は、水平電荷転送路上で加算された信号電荷２Ｒ，２Ｇ，２Ｂをアンプまで転送し水平電荷転送路上が空になった状態を示しているだけである。
【００１９】
しかしながら、更なる高速駆動が要求された場合、図１６〜図１８の駆動方法では対処することができないという問題がある。
【００２０】
本発明の目的は、更に一層の高速駆動を実現することが可能なＣＣＤ型固体撮像素子の駆動方法及び撮像装置を提供することにある。
【課題を解決するための手段】
【００２１】
本発明のＣＣＤ型固体撮像素子の駆動方法は、次元アレイ状に配列形成され各々が入射光量に応じた信号電荷を蓄積する複数の受光部と、該受光部で構成される受光部列の各々に沿って形成され前記受光部から読み出された前記信号電荷を列方向に転送する複数の垂直電荷転送路と、複数の垂直電荷転送路の転送方向端部に沿って形成される水平電荷転送路と、該水平電荷転送路と前記垂直電荷転送路の転送方向端部との間に設けられ前記垂直電荷転送路の各々から受け取った前記信号電荷を一時蓄積して前記水平電荷転送路に転送するラインメモリとを備えるＣＣＤ型固体撮像素子の駆動方法において、
第１の前記受光部列の中の周期的位置にある複数の前記受光部から読み出された前記信号電荷の該受光部列に沿う第１の前記垂直電荷転送路上における配列を、前記信号電荷が存在する電荷パケットを該信号電荷が存在しない空信号パケットで挟む配列にすると共に、第２の前記受光部列の中の周期的位置にある複数の前記受光部から読み出された前記信号電荷の該受光部列に沿う第２の前記垂直電荷転送路上における配列を、前記信号電荷が存在する電荷パケットを該信号電荷が存在しない空信号パケットで挟む配列にし且つ該電荷パケットが前記第１の前記垂直電荷転送路上の前記電荷パケットとずれた位置とすることを特徴とする。
【００２２】
本発明のＣＣＤ型固体撮像素子の駆動方法は、前記垂直電荷転送路に前記信号電荷を読み出した状態で前記配列が実現する前記受光部を選択し該受光部に読出パルスを印加することを特徴とする。
【００２３】
本発明のＣＣＤ型固体撮像素子の駆動方法は、前記第１の受光部列から信号電荷を読み出し転送した後に前記第２の受光部列から信号電荷を読み出すことで前記配列を実現することを特徴とする。
【００２４】
本発明のＣＣＤ型固体撮像素子の駆動方法は、前記第１の受光部列が奇数列の受光部列であり、前記第２の受光部列が偶数列の受光部列であることを特徴とする。
【００２５】
本発明のＣＣＤ型固体撮像素子の駆動方法は、前記第１の前記垂直電荷転送路によって転送され前記ラインメモリに一時蓄積された前記信号電荷を前記水平電荷転送路に転送するとき同時に前記第２の前記垂直電荷転送路による前記信号電荷の前記ラインメモリへの垂直転送を行うことを特徴とする。
【００２６】
本発明の撮像装置は、二次元アレイ状に配列形成され各々が入射光量に応じた信号電荷を蓄積する複数の受光部と、該受光部で構成される受光部列の各々に沿って形成され前記受光部から読み出された前記信号電荷を列方向に転送する複数の垂直電荷転送路と、複数の垂直電荷転送路の転送方向端部に沿って形成される水平電荷転送路と、該水平電荷転送路と前記垂直電荷転送路の転送方向端部との間に設けられ前記垂直電荷転送路の各々から受け取った前記信号電荷を一時蓄積して前記水平電荷転送路に転送するラインメモリとを備えるＣＣＤ型固体撮像素子と、上記のいずれかに記載の駆動方法を実行する撮像素子駆動部とを備えることを特徴とする。
【発明の効果】
【００２７】
本発明によれば、転送に時間がかかる垂直転送とラインメモリから水平電荷転送路への転送とを同時並行的に行うステップが増えて全体の駆動ステップが減らせるため、ＣＣＤ型固体撮像素子からの画素加算データの読み出しを高速に行うことが可能となる。
【発明を実施するための最良の形態】
【００２８】
以下、本発明の一実施形態について、図面を参照して説明する。
【００２９】
図１，図２は、本発明の第１実施形態に係るＣＣＤ型固体撮像素子の駆動方法説明図である。このＣＣＤ型固体撮像素子は、図１０に示すＣＣＤ型固体撮像素子と同様であり、偶数行の画素行に対して奇数行の画素行が１／２画素ピッチづつずらして配列されている。尚、画素４列分しか図示していないが、勿論、多数の画素列が設けられる。
【００３０】
そして、奇数行の各画素には緑色（Ｇ）のカラーフィルタが積層され、偶数行の各画素には赤色（Ｒ），青色（Ｂ）のカラーフィルタが交互に積層され、赤色（Ｒ），青色（Ｂ）のカラーフィルタが積層された画素列においても、赤色（Ｒ）と青色（Ｂ）が交互配列される。各画素に隣接して垂直方向に２枚の転送電極が設けられ、各垂直転送電極には、垂直方向に連続するＶ１〜Ｖ１６が一組として、図３に示す転送パルスが印加される。
【００３１】
今、図１（ａ）に示す様に、各画素に夫々の色の信号電荷が蓄積され、これらの信号電荷を読み出す。このとき、先ず図１（ｂ）に示す様に、電極Ｖ１，Ｖ８，Ｖ９，Ｖ１６をバリア電極とし、他の電極を蓄積電極とする。そして、電極Ｖ５に読出パルスＴ１（図３）を印加し、電極Ｖ２〜Ｖ７の下に形成された電位パケット内に、図１（ｃ）に示す様に信号電荷を読み出す。
【００３２】
次に、図３に示す転送パルスＶ１〜Ｖ１６を印加して、図１（ｃ）の電極Ｖ２〜Ｖ７下にある信号電荷ｒ，ｂを、図２（ａ）に示す様に、電極Ｖ１０〜Ｖ１５下まで転送する。そして、図３に示す読出パルスＴ２を読出電極兼用転送電極Ｖ３に印加する。これにより、図２（ｃ）に示す様に、Ｇ信号電荷が電極Ｖ２〜Ｖ７下の電位パケット内に読み出される。
【００３３】
この図２（ｃ）に示す状態は、奇数列の画素（Ｒ画素，Ｂ画素）から読み出された信号電荷ｒ，ｂと空信号とが電極Ｖ１０〜Ｖ１５の位置で並び、偶数列の画素（Ｇ画素）から読み出された信号電荷ｇと空信号とが電極Ｖ２〜Ｖ７の位置で並んでいる。
【００３４】
この図２（ｃ）に示す状態から、垂直電荷転送路２による垂直方向への転送，ラインメモリ５から水平電荷転送路３への転送，水平電荷転送路３による水平方向への転送を行う。この転送は、図４，図５，図６に示す状態遷移（Ｃ１〜Ｃ１１）に従って行われる。
【００３５】
図４に示す転送状態Ｃ１は、図２（ｃ）の状態から信号電荷ｒ，ｂをラインメモリ５の方向に垂直転送した後の状態を示し、ラインメモリ５の該当バッファに信号電荷Ｒ，Ｂが蓄積される。この垂直方向への転送時に、本実施形態では、同時に、ラインメモリ５上の信号電荷Ｒ，Ｂのうち、図示の例では右側２つの信号電荷Ｒ，Ｂを水平電荷転送路３に転送してしまう。
【００３６】
ラインメモリ５から水平電荷転送路３への転送時に垂直電荷転送路の転送も行うため、Ｇ信号電荷の一部の信号電荷ｇも、状態Ｃ２に示す様に、ラインメモリ５の該当バッファ内に流れ込み蓄積される。次に、垂直転送を止め、水平電荷転送路３の全体を４電極分だけ水平方向に転送すると、ラインメモリ５上の信号電荷Ｒ，Ｂの位置と、水平電荷転送路３上の信号電荷Ｒ，Ｂの位置とが整列する。
【００３７】
このとき、垂直方向への転送を行うと同時にラインメモリ５上の信号電荷Ｒ，Ｂを水平電荷転送路３に転送する（状態Ｃ３）と、水平電荷転送路３上で画素加算（電荷の加算）が行われる。この垂直方向への転送でラインメモリ５上にＧ信号電荷が蓄積されたとき、図示の例では一番右側のＧ信号電荷を水平電荷転送路３に転送してしまう（状態Ｃ４）。
【００３８】
この後、図５の状態Ｃ５に示す様に、水平電荷転送路３の全体を水平方向に１電極分だけ転送し、次の状態Ｃ６では水平電荷転送路３上のＧ信号電荷のみを１電極分だけ水平方向に転送する。
【００３９】
次の状態Ｃ７では、状態Ｃ４で図示したラインメモリ上の４つのＧ信号電荷のうち中２つのＧ信号電荷を水平電荷転送路３上に転送する。そして、状態Ｃ８では、水平電荷転送路３の全体を２電極分だけ水平方向に転送する。
【００４０】
これにより、水平電荷転送路３上の１個分のＧ信号電荷の位置と、ラインメモリ５上のＧ信号電荷の蓄積バッファ位置とが整列するため、図６の転送状態Ｃ９に示す様に、この蓄積バッファのＧ信号電荷を水平電荷転送路３に転送する。
【００４１】
この結果、水平電荷転送路３上の信号電荷は、状態Ｃ１０に示す様に、水平方向に隣接する同色画素を画素加算した２Ｒ，２Ｇ，２Ｂの信号電荷となり、これを水平方向に転送して水平電荷転送路３上の信号電荷を出力し（状態Ｃ１０）、状態Ｃ１に戻って以上の転送動作を繰り返す。
【００４２】
ＣＣＤ型固体撮像素子の駆動において、転送に時間がかかるのは「垂直転送」「ラインメモリから水平電荷転送路への転送」「信号電荷を出力する水平転送」であり、水平電荷転送路を数電極分だけ転送する場合（例えば状態Ａ４，Ａ７，Ｃ２等）は、ほとんど時間はかからない。このため、転送に時間がかかる転送状態を加算した時間が転送時間となる。
【００４３】
図７は、転送に時間がかかる転送状態を加算した１ラインの転送に必要となる時間を、図１３〜図１５，図１６〜図１８，図４〜図６の各転送駆動方法で比較した図である。この図に示す様に、図４〜図６に示す転送駆動方法では、「ラインメモリから水平電荷転送路への転送」を行うとき必ず「垂直転送」も同時並行的に行うため、転送時間の短縮を図ることが可能となる。
【００４４】
上述した図４〜図６の転送駆動、即ち、「ラインメモリから水平電荷転送路への転送」を行うとき「垂直転送」も同時並行的に行えるようにするには、図２（ｃ）に示す様に、奇数列目の垂直電荷転送路では信号電荷と空信号とが交互に並ぶようにし、偶数列目の垂直電荷転送路では、逆に、空信号と信号電荷とが交互に並ぶようにする必要がある。
【００４５】
このため、図１，図２に示す実施形態では、図３に示す様に、２つの読出パルスＴ１，Ｔ２に分けて信号電荷の画素からの読み出しを行ったが、読出パルスの印加タイミングを同時に行うことも可能である。
【００４６】
例えば、図８に示すＣＣＤ型固体撮像素子では、図８（ａ）に示す様に各画素に信号電荷が蓄積された後、電極Ｖ１，Ｖ８，Ｖ９，Ｖ１６をバリア電極とし、読出電極兼用の転送電極Ｖ３，Ｖ１３に、図９に示す読出パルスＴを印加する。これにより、図８（ｂ）に矢印で示す様に電極Ｖ３，Ｖ１３に隣接する画素から信号電荷が読み出され、その信号電荷の配列は、図８（ｃ）に示す配列つまり図２（ｃ）と同じ配列となる。以後、転送Ｃ１〜Ｃ１１を実行すればよい。
【００４７】
以上述べた様に、偶数列目の垂直電荷転送路上の信号電荷と空信号との交互配置を、奇数列目の垂直電荷転送路上のそれと逆にしたため、偶数列目の垂直電荷転送路で転送されてきた信号電荷をラインメモリから水平電荷転送路に転送するとき、同時に、奇数列目の垂直電荷転送路の垂直転送を行うことができ（勿論、偶数列目の垂直電荷転送路も垂直転送動作を行うのであるが、ラインメモリ直前位置の電位パケットは空パケットであるため問題はない。）、転送時間の短縮を図ることが可能となる。
【００４８】
図１９は、上述したＣＣＤ型固体撮像素子の駆動方法を用いて動画撮像を行う撮像装置の機能ブロック図である。この撮像装置は、撮像部２１と、撮像部２１から出力されるアナログの画像データを自動利得調整（ＡＧＣ）や相関二重サンプリング処理（ＣＤＳ）等のアナログ処理するアナログ信号処理部２２と、アナログ信号処理部２２から出力されるアナログ画像データをデジタル画像データに変換するアナログデジタル変換部（Ａ／Ｄ）２３と、後述のシステム制御部（ＣＰＵ）２９からの指示によってＡ／Ｄ２３，アナログ信号処理部２２，撮像部２１の駆動制御を行う駆動部（タイミングジェネレータＴＧを含む）２４と、ＣＰＵ２９からの指示によって発光するフラッシュ２５とを備える。
【００４９】
撮像部２１は、被写界からの光を集光する光学レンズ系２１ａと、該光学レンズ系２１ａを通った光を絞る絞りやメカニカルシャッタ２１ｂと、光学レンズ系２１ａによって集光され絞りによって絞られた光を受光し撮像画像データ（アナログ画像データ）を出力するＣＣＤ型固体撮像素子１００とを備える。
【００５０】
この撮像装置は更に、Ａ／Ｄ２３から出力されるデジタル画像データを取り込み補間処理やホワイトバランス補正，ＲＧＢ／ＹＣ変換処理等を行うデジタル信号処理部２６と、画像データをＪＰＥＧ形式などの画像データに圧縮したり逆に伸長したりする圧縮／伸長処理部２７と、メニューなどを表示したりスルー画像や撮像画像を表示する表示部２８と、デジタルカメラ全体を統括制御するシステム制御部（ＣＰＵ）２９と、フレームメモリ等の内部メモリ３０と、ＪＰＥＧ画像データ等を格納する記録メディア３２との間のインタフェース処理を行うメディアインタフェース（Ｉ／Ｆ）部３１と、これらを相互に接続するバス４０とを備え、また、システム制御部２９には、ユーザからの指示入力を行う操作部３３が接続されている。
【００５１】
斯かる撮像装置で、例えば動画像を撮像する場合には、ユーザは操作部３３から動画撮影指示を入力する。これにより、ＣＰＵ２９は駆動部２４に対して図１〜図９で説明した駆動方法でＣＣＤ型固体撮像素子１００を駆動する様に指示を出し、ＣＣＤ型固体撮像素子１００から出力される画素加算後の撮像データをデジタル信号処理部２６が取り込み、画像処理した後に記録メディア３２に記録することになる。
【００５２】
尚、上述した実施形態では水平２画素加算について説明したが、水平３画素以上の画素加算も可能である。この場合、偶数列間（または奇数列間）の画素加算を水平電荷転送路上で先に行い、後から奇数列間（または偶数列間）の画素加算を行う必要がある。
【００５３】
また、上述した実施形態では、奇数列間，偶数列間で画素加算を行ったが、これは、図２０（ａ）に示す様に、Ｒ，Ｂ画素とＧ画素とが交互に配列されている関係で、電荷パケットと空パケットの配列の位相が奇数列と偶数列とで逆になるためである。図２０（ｂ）に示す様に、１―２―３―１―２―３…とカラーフィルタ配列に周期性，巡回性があれば、その周期に合わせた１―１間，２―２間，３―３間の同色画素加算が可能となる。
【産業上の利用可能性】
【００５４】
本発明に係るＣＣＤ型固体撮像素子の駆動方法は、高速駆動が可能となるため、画素加算を行って撮像画像信号の出力を行うデジタルカメラ等に適用すると有用である。
【図面の簡単な説明】
【００５５】
【図１】本発明の一実施形態に係るＣＣＤ型固体撮像素子における信号電荷の読出例を示す図である。
【図２】図１に続く信号電荷の配置列を示す図である。
【図３】図１，図２に示すＣＣＤ型固体撮像素子で垂直転送を行うときの垂直転送パルスを例示する図である。
【図４】図２（ｃ）の信号電荷配置例の状態からの転送状態の遷移を示す図である。
【図５】図４に続く転送状態の遷移を示す図である。
【図６】図５に続く転送状態の遷移を示す図である。
【図７】本発明と従来の転送時間の比較図である。
【図８】本発明の別実施形態に係るＣＣＤ型固体撮像素子における信号読出例を示す図である。
【図９】図８に示す信号読出例における読出パルスを示す図である。
【図１０】ＣＣＤ型固体撮像素子の説明図である。
【図１１】図１０に示すＣＣＤ型固体撮像素子で読み出された信号電荷の従来の転送例を示す図である。
【図１２】図１１に示す転送を実現する転送パルスを示す図である。
【図１３】従来の転送駆動方法における転送状態の遷移を示す図である。
【図１４】図１３に続く転送状態の遷移を示す図である。
【図１５】図１４に続く転送状態の遷移を示す図である。
【図１６】改良した転送駆動方法における転送状態の遷移を示す図である。
【図１７】図１６に続く転送状態の遷移を示す図である。
【図１８】図１７に続く転送状態の遷移を示す図である。
【図１９】撮像装置の機能ブロック構成図である。
【図２０】電荷パケットと空信号パケットとの配列を示す図である。
【符号の説明】
【００５６】
１  画素
２  垂直電荷転送路（ＶＣＣＤ）
３  水平電荷転送路（ＨＣＣＤ）
４  出力アンプ
５  ラインメモリ
【図１】
2009177401.tif 000003
【図２】
2009177401.tif 000004
【図３】
2009177401.tif 000005
【図４】
2009177401.tif 000006
【図５】
2009177401.tif 000007
【図６】
2009177401.tif 000008
【図７】
2009177401.tif 000009
【図８】
2009177401.tif 000010
【図９】
2009177401.tif 000011
【図１０】
2009177401.tif 000012
【図１１】
2009177401.tif 000013
【図１２】
2009177401.tif 000014
【図１３】
2009177401.tif 000015
【図１４】
2009177401.tif 000016
【図１５】
2009177401.tif 000017
【図１６】
2009177401.tif 000018
【図１７】
2009177401.tif 000019
【図１８】
2009177401.tif 000020
【図１９】
2009177401.tif 000021
【図２０】
2009177401.tif 000022